(57)【要約】  Ｘ線撮影システム１は、ベッド１０に支持された被験体９８の被検査部位をＸ線撮影するためのものである。Ｘ線撮影システム１は、Ｘ線源であるＸ線発生装置３１と、Ｘ線発生装置３１と対向配置され、Ｘ線発生装置３１から被験体９８へ照射され当該被験体９８を通過したＸ線を撮像するＸ線撮像装置３２と、Ｘ線発生装置３１を支持する７軸垂直多関節型の第１ロボット２（２Ａ）と、Ｘ線撮像装置３２を支持する７軸垂直多関節型の第２ロボット２（２Ｂ）と、アイソセンタＣと被検査部位とを実質的に一致させながらＸ線発生装置３１及びＸ線撮像装置３２がアイソセンタＣを中心とする球殻上を移動するように、第１ロボット２（２Ａ）及び第２ロボット２（２Ｂ）の動作を制御するロボット制御装置２４０とを備えている。
2017029690.tif 000002
【特許請求の範囲】
【請求項１】
ベッドに支持された被験体の被検査部位をＸ線撮影するＸ線撮影システムであって、
Ｘ線源と、
前記Ｘ線源と対向配置され、前記Ｘ線源から前記被験体へ照射され当該被験体を通過したＸ線を撮像するＸ線撮像装置と、
前記Ｘ線源を支持する７軸垂直多関節型の第１ロボットと、
前記Ｘ線撮像装置を支持する７軸垂直多関節型の第２ロボットと、
アイソセンタと前記被検査部位とを実質的に一致させながら前記Ｘ線源及び前記Ｘ線撮像装置が前記アイソセンタを中心とする球殻上を移動するように、前記第１ロボット及び前記第２ロボットの動作を制御する制御装置とを
備えるＸ線撮影システム。
【請求項２】
前記制御装置は、前記Ｘ線源及び前記Ｘ線撮像装置を同期して移動させるように、前記第１ロボット及び前記第２ロボットを協調制御する、
請求項１に記載のＸ線撮影システム。
【請求項３】
前記第１ロボット及び前記第２ロボットの各々は、基端から手首に向かって次の関節を旋回させる回転軸と次の関節を回動させる回転軸とを交互に有し、
前記制御装置は、前記第１ロボット及び前記第２ロボットの少なくとも一方を、基端から４つ目の関節が前記ベッドの幅内に位置するように制御する、
請求項１又は２に記載のＸ線撮影システム。
【請求項４】
前記第１ロボット及び前記第２ロボットの各々は、基端から手首に向かって次の関節を旋回させる回転軸と次の関節を回動させる回転軸とを交互に有し、
前記制御装置は、前記第１ロボット及び前記第２ロボットの少なくとも一方を、基端から２つ目から４つ目の関節が前記ベッドの幅内に位置するように制御する、
請求項１又は２に記載のＸ線撮影システム。
【請求項５】
前記第１ロボット及び前記第２ロボットの各々は、上腕、下腕、及び手首を有し、
前記制御装置は、前記第１ロボット及び前記第２ロボットの少なくとも一方を、前記上腕が前記ベッドの幅内に位置するように制御する、
請求項１又は２に記載のＸ線撮影システム。
【請求項６】
検査を行う医師の作業範囲を検出する医師検出装置を更に備え、
前記制御装置は、前記Ｘ線源、前記Ｘ線撮像装置、前記第１ロボット及び前記第２ロボットが前記医師検出装置で検出された医師の作業範囲を回避するように、前記第１ロボット及び前記第２ロボットを制御する、
請求項１〜５のいずれか一項に記載のＸ線撮影システム。
【請求項７】
前記Ｘ線源、前記Ｘ線撮像装置、前記第１ロボット、及び前記第２ロボットから成るＸ線撮影ユニットを二式以上備え、同時に複数方向からのＸ線撮影を行えるように構成されている、
請求項１〜６のいずれか一項に記載のＸ線撮影システム。
【発明の詳細な説明】
【技術分野】
【０００１】
本発明は、Ｘ線撮影システムに関する。
【背景技術】
【０００２】
従来、Ｘ線を使用する人体の検査方法の一つとして、血管造影検査法（アンギオグラフィー）が知られている。血管造影検査法では、被験体の血管内に造影剤を注入し、その流れをＸ線撮影システムを用いて撮影することによって、血管そのものの形状などを観察する。特許文献１，２には、この種のＸ線撮影システム（Ｘ線撮影装置）が開示されている。【０００３】
特許文献１に示されたＸ線撮影システム（Ｘ線撮影装置）は、Ｃ型アームと、Ｃ型アームを天井から吊り下げ支持する６軸ロボットアームと、Ｃ型アームの一方の端部に設けられたＸ線管と、Ｃ型アームの他方の端部に設けられたＸ線検出器とを備えている。【０００４】
また、特許文献２に記載されたＸ線撮影システムは、天井に吊り下げられた第１ロボットアームと、第１ロボットアームに支持されたＸ線管と、床に設置された第２ロボットアームと、第２ロボットアームに支持された撮影装置とを備えている。このＸ線撮影システムでは、Ｘ線管と撮影装置が向かい合って互いに関連しながら平行な２つの平面内で移動するように、各ロボットアームが動作する。
【先行技術文献】
【特許文献】
【０００５】
【特許文献１】特開２００１−２１８７５７号公報
【特許文献２】米国特許第４８９４８５５号公報
【発明の概要】
【発明が解決しようとする課題】
【０００６】
上記のような血管造影検査において、医師は、被験体の血管内に造影剤を注入する際に、被験体が横たわっているベッドの傍で作業を行う。例えば、被験体の心臓の血管造影検査を行う際には、医師は、被験体の足の血管から入れたカテーテルを血管の走行に沿って心臓まで通し、目的箇所に達したところでカテーテルから造影剤を流し込む。更に、医師は、被験体に対し血管造影検査を行いつつ、同時に治療をすることもある。【０００７】
このような血管造影検査においては、医師及びその介助者は、Ｘ線撮影システムの構成要素と干渉しないように自らの体勢に気を配りながら作業を行わねばならない。医師及びその介助者がＸ線撮影システムの構成要素との接触を避けようとして辛い体勢となれば、彼らの作業効率が低下するだけでなく、彼らの疲労の促進につながるおそれがある。
【課題を解決するための手段】
【０００８】
本発明は以上の事情に鑑みてされたものであって、本発明の一態様に係るＸ線撮影システムは、ベッドに支持された被験体の被検査部位をＸ線撮影するものであって、
Ｘ線源と、
前記Ｘ線源と対向配置され、前記Ｘ線源から前記被験体へ照射され当該被験体を通過したＸ線を撮像するＸ線撮像装置と、
前記Ｘ線源を支持する７軸垂直多関節型の第１ロボットと、
前記Ｘ線撮像装置を支持する７軸垂直多関節型の第２ロボットと、
アイソセンタと前記被検査部位とを実質的に一致させながら前記Ｘ線源及び前記Ｘ線撮像装置が前記アイソセンタを中心とする球殻上を移動するように、前記第１ロボット及び前記第２ロボットの動作を制御する制御装置とを備えることを特徴としている。【０００９】
上記Ｘ線撮影システムでは、Ｘ線源を支持する第１ロボット及びＸ線撮像装置を支持する第２ロボットの各々が冗長軸を有する７軸ロボットである。したがって、Ｘ線源及びＸ線撮像装置の保持及び所定の撮影位置への移動に際し、第１ロボット及び第２ロボットの回り込み姿勢などによって、Ｘ線撮影システムの構成要素に医師の作業範囲を回避させることができる。これにより、医師の作業範囲が確保されるので、辛い体勢での作業に起因する、医師の作業効率の低下の抑制や、疲労の軽減が期待できる。
【発明の効果】
【００１０】
本発明によれば、Ｘ線撮影システムの構成要素に医師の作業範囲を回避させることができる。
【図面の簡単な説明】
【００１１】
【図１】図１は本発明の一実施形態に係るＸ線撮影システムの全体的な概略構成を示すＸ方向から見た側面図である。
【図２】図２はＸ線撮影システムの全体的な概略構成を示すＹ方向から見た側面図である。
【図３】図３はＸ線撮影システムの制御系統の構成を示すブロック図である。
【図４】図４は検査室の斜視図である。
【図５】図５はバイプレーン撮影を可能なＸ線撮影システムの変形例である。
【発明を実施するための形態】
【００１２】
次に、図面を参照して本発明の実施の形態を説明する。図１は本発明の一実施形態に係るＸ線撮影システム１の全体的な概略構成を示すＸ方向から見た側面図、図２はＸ線撮影システム１の全体的な概略構成を示すＹ方向から見た側面図、図３はＸ線撮影システム１の制御系統の構成を示すブロック図、図４は検査室１００の斜視図である。以下では、説明の便宜を図って、図１の紙面奥行き方向を「Ｘ方向」ということとする。Ｘ方向は或る水平方向であって、このＸ方向と直交する水平な方向を「Ｙ方向」といい、鉛直方向を「Ｚ方向」ということとする。
【００１３】
図１〜４に示すように、本発明の一実施形態に係るＸ線撮影システム１は、ベッド１０が設置された検査室１００内に構築されている。ベッド１０は、長さ方向（長手方向）と幅方向（短手方向）とを有し、長さ方向がＹ方向と平行であり且つ幅方向がＸ方向と平行であるように検査室１００内に配置されている。ベッド１０は固定式であっても可動式であってもよい。被験体９８は当該被験体９８の左右方向がベッド１０の幅方向と平行であるようにベッド１０に横臥しており、医師９９及びその介助者はベッド１０の傍で検査に係る作業を行う。
【００１４】
Ｘ線撮影システム１は、少なくとも一対のロボット２，２と、Ｘ線発生装置３１と、Ｘ線撮像装置３２と、モニタ３４と、カメラ３５と、これらを制御する制御システム２０とを概ね備えている。Ｘ線撮影システム１には、上述のベッド１０が含まれていてもよい。
【００１５】
制御システム２０は、Ｘ線発生装置３１及びＸ線撮像装置３２の制御に係るＸ線撮影制御装置２１０と、画像処理装置２２０と、医師検出装置２３０と、ロボット２の制御に係るロボット制御装置２４０及びサーボアンプ２５０との各機能要素を有している。制御システム２０の各要素は、例えば、マイクロコントローラ、ＣＰＵ、ＭＰＵ、ＰＬＣ、ＤＳＰ、ＡＳＩＣ及びＦＰＧＡの少なくとも１つで構成された演算制御手段であってよい。例えば、サーボアンプ２５０は、上位演算制御手段とのインタフェース処理をＣＰＵが担当し、サーボアンプ２５０の基本演算（位置ループ演算、速度ループ演算及び電流ループ演算）をＤＳＰが担当するように構成されてよい。また、例えば、制御システム２０の各要素が１の演算制御手段で構成されていたり、互いに協働して分散制御する複数の演算制御手段によって構成されていたり、或いは、制御システム２０の複数の要素が１の演算制御手段によって構成されていてよい。
【００１６】
一対のロボット２，２のうち一方のロボット２（２Ａ）は検査室１００の床に固定され、他方のロボット２（２Ｂ）は検査室１００の天井に固定されている。ロボット２の具体的な構成は後で詳述する。
【００１７】
Ｘ線発生装置３１は、一対のロボット２，２のうち検査室１００の床に固定されたロボット２（２Ａ）に支持されている。Ｘ線発生装置３１は、例えば、高電圧発生器と、高電圧の印加を受けてＸ線を発生するＸ線管などから構成されていてよい。
【００１８】
Ｘ線撮像装置３２は、被験体９８の被検査部位を間に挟んでＸ線発生装置３１と対向配置されている。より具体的には、Ｘ線発生装置３１の放射窓３１ａとＸ線撮像装置３２の受像面３２ａは被検査部位を間に挟み且つ所定の焦点受像間距離Ｈをおいて対向している。Ｘ線撮像装置３２は、例えば、イメージインテンシファイア、光学系、及び、カメラなどから構成されている（いずれも図示略）。Ｘ線撮像装置３２は、一対のロボット２，２のうち検査室１００の天井に固定されたロボット２（２Ｂ）に支持されている。
【００１９】
Ｘ線発生装置３１とＸ線撮像装置３２の動作は、Ｘ線撮影制御装置２１０により制御される。即ち、Ｘ線撮影制御装置２１０は、所定のタイミングでＸ線を発生させるようにＸ線発生装置３１を制御する。Ｘ線発生装置３１で発生したＸ線は、Ｘ線発生装置３１の放射窓３１ａからＸ線撮像装置３２の受像面３２ａに向けて照射される。Ｘ線撮影制御装置２１０は、Ｘ線の発生に合わせたタイミングでＸ線を撮影するようにＸ線撮像装置３２を制御する。Ｘ線撮像装置３２では、被験体９８を透過したＸ線が光学像に変換され、この光学像は光学系を介してカメラに取り込まれて画像信号に変換される。
【００２０】
画像処理装置２２０は、Ｘ線撮像装置３２から受けた画像信号に基づいて医師９９が被検査部位を視認しやすいように画像処理された画像データを生成し、モニタ３４に出力する。なお、画像処理装置２２０は、多方向から撮影した画像信号に基づいてマルチスライスの断層画像データを生成したり、三次元画像データを生成したりするように構成されていてもよい。医師９９は、モニタ３４に出力された被験体９８の被検査部位の像を視認しながら、検査や治療を行うことができる。
【００２１】
カメラ３５は医師９９の姿を撮影できるように検査室１００に設置されている。カメラ３５は、医師９９に加えて、被験体９８及びロボット２，２の少なくとも一方の姿を撮影するものであってもよい。カメラ３５は医師検出装置２３０と接続されており、カメラ３５が得た映像（画像）データは医師検出装置２３０へ送信される。医師検出装置２３０は、この映像データに基づいて、医師９９の作業範囲を検出する。なお、医師９９の作業範囲には、医師９９の存在範囲、医師９９の動作範囲、及び、予測される医師９９の動作範囲などが含まれていてよい。医師検出装置２３０で検出された医師９９の作業範囲に係る情報はロボット制御装置２４０へ送られ、Ｘ線撮影システム１の構成要素を医師９９の作業範囲を回避するように動作させるために利用される。
【００２２】
ここで、ロボット２の構造について詳細に説明する。一対のロボット２，２は実質的に同じ構造であり、以下では、一対のロボット２，２のうち一方についてその構造を詳細に説明し、他方についての説明を省略する。
【００２３】
ロボット２は、基台２１と、ロボットアーム２２とから構成されている。基台２１は、検査室１００の天井又は床に固定されている。但し、基台２１と検査室１００の天井又は床との間に走行装置を備えて、基台２１が検査室１００の天井又は床に対して移動可能に構成されていてもよい。
【００２４】
ロボットアーム２２は、旋回台３、リンク４，５，６，７，８、及びアタッチメント９が基端から先端に向かってこの順に連設されて成る。旋回台３は、基台２１に回転軸Ａ１回りに回動可能に支持されている。旋回台３からアタッチメント９までの連設された要素３〜９は互いに相対回転可能となるよう連結されている。アタッチメント９の先端を成すフランジ面には、Ｘ線発生装置３１（又はＸ線撮像装置３２）が取り付けられている。
【００２５】
上記構成のロボット２は、７つの関節ＪＴ１〜ＪＴ７を有する、いわゆる、７軸垂直多関節型ロボットである。ロボット２は、一般的な６軸多関節型ロボットと同様に規定された６つの関節ＪＴ１〜ＪＴ６に加えて、関節ＪＴ２と関節ＪＴ３との間に冗長軸を追加するための関節ＪＴ７を有する。７つの関節ＪＴ１〜ＪＴ７は、回転軸Ａ１〜Ａ７をそれぞれに有する。７つの回転軸Ａ１〜Ａ７は、基端から手首に向かって、次の関節を旋回させる回転軸と次の関節を回動させる回転軸とが交互に現れている。なお、７つの関節及び７つの回転軸に付与された符号（ＪＴ１〜ＪＴ７、Ａ１〜Ａ７）は便宜上付したものであり、７つの関節及び７つの回転軸それぞれを識別可能であれば如何なる符号であってよい。
【００２６】
上記構成のロボット２において、回転軸Ａ２から回転軸Ａ３までを上腕といい、回転軸Ａ３から回転軸Ａ５までを下腕といい、上腕と下腕の連結部を肘といい、回転軸Ａ５からロボットアーム２２の先端までを手首ということがある。回転軸Ａ４〜Ａ６は、手首に設定される回転軸である。また、回転軸Ａ１、回転軸Ａ２、回転軸Ａ７及び回転軸Ａ３は、Ｘ線発生装置３１（又はＸ線撮像装置３２）を水平旋回させたり揺動させたりするための回転軸として用いられ、７軸垂直多関節型ロボットの主軸を成している。
【００２７】
関節ＪＴ１〜ＪＴ７にはそれぞれサーボモータＭ１〜Ｍ７及び位置検出器Ｅ１〜Ｅ７が設けられている。位置検出器Ｅ１〜Ｅ７は、例えば、ロータリーエンコーダで構成されている。上記の各サーボモータＭ１〜Ｍ７を駆動することにより、関節ＪＴ１〜ＪＴ７においてそれぞれ許容される回転軸Ａ１〜Ａ７周りの回転が行われる。なお、各サーボモータＭ１〜Ｍ７は互いに独立して駆動することが可能である。また、上記の各サーボモータＭ１〜Ｍ７が駆動されると、上記の各位置検出器Ｅ１〜Ｅ７によって上記の各サーボモータＭ１〜Ｍ７の回転軸Ａ１〜Ａ７周りの回転位置の検出が行われる。
【００２８】
ロボット２の動作は、制御装置２４０とサーボアンプ２５０により制御される。本実施形態においては、１つのロボット２に対し１つのサーボアンプ２５０が設けられているが、複数のロボット２に対し１つのサーボアンプ２５０が設けられていてもよい。サーボアンプ２５０は、ロボット２の関節ＪＴ１〜ＪＴ７が具備するサーボモータＭ１〜Ｍ７のそれぞれに対し、アタッチメント９の先端（即ち、ロボットアーム２２の先端）を任意の位置姿勢に任意の経路に沿って移動させるサーボ制御を行う。サーボアンプ２５０は、サーボモータＭ１〜Ｍ７それぞれに対して個別のサーボループを形成するように複数設けられているが、１つのサーボアンプ２５０によってサーボモータＭ１〜Ｍ７が統括して駆動されるように構成されてもよい。
【００２９】
ロボット制御装置２４０は、サーボアンプ２５０を含めた制御システム２０全体の制御を司るものである。ロボット制御装置２４０は、ティーチペンダント等と接続可能である。このティーチペンダントを用いてオペレータが教示作業を行うことができる。ロボット制御装置２４０は、教示作業やオフラインツール等により作成された動作プログラムに基づいて、Ｘ線発生装置３１（又はＸ線撮像装置３２）が位置すべき目標位置を算出する。更に、ロボット制御装置２４０は、目標位置の座標データの逆変換を行い、医師検出装置２３０で検出された医師９９及びその予測される動作範囲との干渉を回り込みなどの姿勢により回避し、且つ、Ｘ線発生装置３１（又はＸ線撮像装置３２）を目標位置に移動させるために必要となる関節角θ１〜θ７を算定する。
【００３０】
上記において、ロボット制御装置２４０は、ロボット２の基端から４つ目の関節ＪＴ３、即ち、肘関節がベッド１０の幅Ｗ内に位置するように、ロボット２の位置及び姿勢を制御する。ここで「関節ＪＴ３のＸ位置」とは、回転軸Ａ７と回転軸Ａ３の交点を関節ＪＴ３の基準点としたときの、関節ＪＴ３の基準点のＸ位置（Ｘ座標）である。また、「ベッド１０の幅Ｗ内」とは、被験体９８基準でベッド１０の右側の端部のＸ位置（Ｘa）から左側の端部のＸ位置（Ｘb）までの三次元領域、及び、その領域をベッド１０の長さ方向端部を超えてＹ方向に延長した三次元領域を意味する。図４では、検査室１００のうち「ベッド１０の幅Ｗ内」に該当する三次元領域を墨塗りで表している。なお、ベッド１０の幅Ｗが長さ方向の途中で変化する形状のものである場合の「ベッド１０の幅Ｗ内」とは、ベッド１０の被験体９８の胴部を支持する部分の右側の端部のＸ位置（Ｘa）から左側の端部のＸ位置（Ｘb）までの間を意味する。
【００３１】
ベッド１０の寸法やベッド１０の端部のＸ位置Ｘa，Ｘbは予めロボット制御装置２４０に記憶されている。そして、ロボット制御装置２４０は、ロボット２の関節ＪＴ３のＸ位置がＸaからＸbまでの範囲に存在する状態を維持させながら、ロボット２を動作させる。なお、ロボット２の基台２１がベッド１０の幅Ｗ内に配置されていれば、上記のようにロボット２の関節ＪＴ３をベッド１０の幅Ｗ内に位置させる制御が容易となるため望ましいが、基台２１の配置はベッド１０の幅Ｗ内に限定されない。
【００３２】
そして、ロボット制御装置２４０は、上記の算定した関節角θ１〜θ７と上記の位置検出器Ｅ１〜Ｅ７により検出される電源オン時の回転位置との偏差に基づき、関節ＪＴ１〜ＪＴ７に設けられたサーボモータＭ１〜Ｍ７の動作量の指令値を演算し、各サーボモータＭ１〜Ｍ７に供給する。これにより、Ｘ線発生装置３１（又はＸ線撮像装置３２）が目標位置に移動される。
【００３３】
本実施形態に係るＸ線撮影システム１では、２つのロボット２，２が１つのロボット制御装置２４０で制御される。ロボット制御装置２４０は、一対のロボット２，２を協調制御する。一対のロボット２，２が協調動作により、Ｘ線発生装置３１とＸ線撮像装置３２は、アイソセンタＣと被検査部位を実質的に一致させながらアイソセンタＣを中心とする球殻上を同期して移動する。この間、Ｘ線発生装置３１とＸ線撮像装置３２の焦点受像間距離Ｈは所定の値に維持される。アイソセンタＣ（照射中心）は、Ｘ線発生装置３１の焦点とＸ線撮像装置３２の受像面３２ａの中央を通るＸ線束中心線Ｌ上にある。なお、一対のロボット２，２は各々独立して動作することが可能であって、一対のロボット２，２の動作は必要に応じて同期されるのであって常に同期するわけではない。
【００３４】
Ｘ線撮影システム１では、上記のようにロボット制御装置２４０でロボット２，２の位置及び姿勢を制御することにより、Ｘ線発生装置３１とＸ線撮像装置３２を所定の撮影位置へ移動させて、Ｘ線撮影制御装置２１０でＸ線発生装置３１とＸ線撮像装置３２に被検査部位をＸ線撮影させる。このようにして、被検査部位に対するＸ線束中心線Ｌの角度の異なる複数位置でＸ線の撮影が行われる。なお、所定の撮影位置、並びに、所定の焦点受像間距離Ｈは、予めロボット制御装置２４０に教示されていてもよいし、オペレータが図示されない入力手段を介して適時にロボット制御装置２４０へ入力できるように構成されていてもよい。
【００３５】
以上に説明したように、本実施形態のＸ線撮影システム１は、Ｘ線発生装置３１（Ｘ線源）と、Ｘ線発生装置３１と対向配置され、Ｘ線発生装置３１から被験体９８へ照射され当該被験体９８を通過したＸ線を撮像するＸ線撮像装置３２と、Ｘ線発生装置３１を支持する７軸垂直多関節型の第１ロボット２（２Ａ）と、Ｘ線撮像装置３２を支持する７軸垂直多関節型の第２ロボット２（２Ｂ）と、アイソセンタＣと被検査部位とを実質的に一致させながらＸ線発生装置３１及びＸ線撮像装置３２がアイソセンタＣを中心とする球殻上を移動するように、第１ロボット２（２Ａ）及び第２ロボット２（２Ｂ）の動作を制御するロボット制御装置２４０とを備えている。このＸ線撮影システム１は、ベッド１０に支持された被験体９８の被検査部位をＸ線撮影するためのものである。
【００３６】
更に、本実施形態のＸ線撮影システム１において、ロボット制御装置２４０は、Ｘ線発生装置３１及びＸ線撮像装置３２を同期して移動させるように、第１ロボット２及び第２ロボット２を協調制御するように構成されている。
【００３７】
上記Ｘ線撮影システム１によれば、Ｘ線発生装置３１（Ｘ線源）を支持する第１ロボット２（２Ａ）及びＸ線撮像装置３２を支持する第２ロボット２（２Ｂ）の各々が冗長軸を有する７軸ロボットである。したがって、Ｘ線発生装置３１及びＸ線撮像装置３２の保持及び所定の撮影位置への移動に際し、これらのロボット２，２の回り込み姿勢などによって、Ｘ線撮影システム１の構成要素に医師９９の作業範囲を回避させることができる。これにより、医師９９の作業範囲が確保されるので、辛い体勢での作業に起因する、医師９９の作業効率の低下の抑制や、疲労の軽減が期待できる。
【００３８】
更に、上記Ｘ線撮影システム１によれば、Ｘ線発生装置３１とＸ線撮像装置３２の焦点受像間距離Ｈが可変である。例えば、被検査部位の大きさなどに応じて、焦点受像間距離Ｈを所定の基準長さから長く又は短くしたりしてよい。また、例えば、焦点受像間距離Ｈの変動に伴って、Ｘ線発生装置３１からのＸ線放射量及び放射角度の少なくとも一方を変化させるようにしてよい。また、例えば、焦点受像間距離Ｈと比例してＸ線発生装置３１からのＸ線放射量が少なくなるようにしてよい。Ｘ線発生装置３１からのＸ線放射量を低減することによって、医師９９及び被験体９８の被ばく量の低減が期待できる。また、例えば、焦点受像間距離Ｈと比例してＸ線発生装置３１からのＸ線の放射角度が大きくなるようにしてよい。
【００３９】
また、本実施形態のＸ線撮影システム１において、一対のロボット２，２の各々は、基端から手首に向かって、次の関節を旋回させる回転軸と次の関節を回動させる回転軸とを交互に有している。そして、ロボット制御装置２４０は、一対のロボット２，２の少なくとも一方を、基端から４つ目の関節ＪＴ３（即ち、肘関節）がベッド１０の幅Ｗ内に位置するように制御するように構成されている。
【００４０】
このように、ロボット２の基端から４つ目の関節ＪＴ３がベッド１０の幅Ｗ内に位置することによれば、ロボット２やその手先に連結されたＸ線発生装置３１又はＸ線撮像装置３２がベッド１０の幅Ｗ内から大きくＸ方向へ張り出すことがなく、医師９９や介助者の作業範囲を確保したり、医師９９らに与える圧迫感を軽減したりすることができる。
【００４１】
また、本実施形態のＸ線撮影システム１は、検査を行う医師９９の作業範囲を検出する医師検出装置２３０を更に備えている。そして、制御システム２０は、Ｘ線撮影システム１の構成要素（Ｘ線発生装置３１、Ｘ線撮像装置３２、及び、一対のロボット２，２）が医師検出装置２３０で検出された医師９９の作業範囲を回避するように、一対のロボット２，２を制御する。
【００４２】
これにより、Ｘ線撮影システム１の構成要素は医師９９の作業範囲を回避するように移動又は位置するので、及びその予測される動作範囲と干渉しないように移動又は位置する。医師９９の作業範囲が確保されるので、医師９９の作業範囲が確保されるので、辛い体勢での作業に起因する、医師９９の作業効率の低下の抑制や、疲労の軽減が期待できる。
【００４３】
[変形例１]
次に、上記実施形態の変形例１を説明する。上記実施形態に係るＸ線撮影システム１では、ロボット２は基端から４つ目の関節ＪＴ３がベッド１０の幅Ｗ内に位置するように制御されるのに対し、変形例１に係るＸ線撮影システム１では、ロボット２はその基端から２つ目の関節ＪＴ２から４つ目の関節ＪＴ３までがベッド１０の幅Ｗ内に位置するように制御される。
【００４４】
より具体的には、ロボット制御装置２４０は、基端から２つ目の関節ＪＴ２のＸ位置及び基端から４つ目の関節ＪＴ３のＸ位置がＸaからＸbまでの範囲に存在するようにロボット２の位置及び姿勢を決定し、サーボアンプ２５０に指令する。ここで「関節ＪＴ２のＸ位置」とは、回転軸Ａ７と回転軸Ａ２の交点を関節ＪＴ２の基準点としたときの、関節ＪＴ２の基準点のＸ位置（Ｘ座標）である。このように制御されるロボット２は、基端から２つ目の関節ＪＴ２から４つ目の関節ＪＴ３までをベッド１０の幅内にある状態を維持しながらロボットアーム２２を変態させて、Ｘ線発生装置３１又はＸ線撮像装置３２を所定の撮影位置へ移動させる。
【００４５】
上記変形例１に係るＸ線撮影システム１では、ロボット２の基端から２つ目の関節ＪＴ２から４つ目の関節ＪＴ３までがベッド１０の幅Ｗ内に位置するので、ロボット２やその手先に連結されたＸ線発生装置３１又はＸ線撮像装置３２がベッド１０の幅Ｗ内から大きくＸ方向へ張り出すことがなく、医師９９や介助者の作業範囲を確保したり、医師９９らに与える圧迫感を軽減したりすることができる。
【００４６】
[変形例２]
次に、上記実施形態の変形例２を説明する。上記実施形態に係るＸ線撮影システム１では、ロボット２は基端から４つ目の関節ＪＴ３がベッド１０の幅Ｗ内に位置するように制御されるのに対し、変形例２に係るＸ線撮影システム１では、ロボット２は上腕を構成するリンク４，５がベッド１０の幅Ｗ内に位置するように制御される。
【００４７】
より具体的には、ロボット制御装置２４０は、上腕を構成するリンク４，５を基端から２つ目の関節ＪＴ２と４つ目の関節ＪＴ４とを通る柱状体と捉えて、この柱状体のＸ位置がＸaからＸbまでの範囲に存在するようにロボット２の位置及び姿勢を決定し、サーボアンプ２５０に指令する。このように制御されるロボット２は、上腕を構成するリンク４，５がベッド１０の幅Ｗ内にある状態を維持しながらロボットアーム２２を変態させて、Ｘ線発生装置３１又はＸ線撮像装置３２を所定の撮影位置へ移動させる。
【００４８】
上記変形例２に係るＸ線撮影システム１では、ロボット２の上腕がベッド１０の幅Ｗ内に位置するので、ロボット２やその手先に連結されたＸ線発生装置３１又はＸ線撮像装置３２がベッド１０の幅Ｗ内から大きくＸ方向へ張り出すことがなく、医師９９や介助者の作業範囲を確保したり、医師９９らに与える圧迫感を軽減したりすることができる。
【００４９】
[変形例３]
次に、上記実施形態の変形例３を説明する。図５はバイプレーン撮影を可能なＸ線撮影システム１の変形例を示す図である。なお、本変形例の説明においては、前述の実施形態と同一又は類似の部材には図面に同一の符号を付し、説明を省略する場合がある。
【００５０】
上記実施形態に係るＸ線撮影システム１は一式のＸ線撮影ユニット（即ち、Ｘ線発生装置３１、Ｘ線撮像装置３２、及びこれらを支持する一対のロボット２，２）を備えているが、図５に示すように、本変形例に係るＸ線撮影システム１は、更にもう一式、つまり、二式のＸ線撮影ユニットを備えている。なお、Ｘ線撮影システム１に備わるロボット２は４台となるが、これらのロボット２は１つのロボット制御装置２４０で制御されてよい。
【００５１】
上記の変形例３に係るＸ線撮影システム１は、同時に２方向からのＸ線撮影（バイプレーン撮影、デュアルプレーン撮影などと呼ばれている）が可能である。このようなＸ線撮影システム１では、検査時間の短縮化、造影剤量の低減を図ることができる。
【００５２】
特に、変形例３のようなバイプレーン撮影を可能なＸ線撮影システム１では、Ｃ型アームを備えた従来のＸ線撮影システムと比較して、構成要素の設置空間及び動作空間の削減効果が著しい。また、各ロボット２は独立して動作可能であるので、ロボット２同士の干渉及びロボット２と医師９９の作業範囲の干渉を避けながら、Ｘ線発生装置３１及びＸ線撮像装置３２の位置及び姿勢を変化させることが容易である。
【００５３】
更に、Ｘ線撮影システム１では、Ｃ型アームを備えた従来のＸ線撮影システムと比較してＸ線撮影ユニットの設置自由度が高く且つ小型である。よって、変形例３に係るＸ線撮影システム１のように、二式以上のＸ線撮影ユニットを備えて同時に複数方向からのＸ線撮影が可能なシステムを構築することが容易である。
【００５４】
以上に本発明の好適な実施形態（及びその変形例）を説明したが、上記の構成は例えば以下のように変更することができる。
【００５５】
例えば、上記実施形態及び変形例において、一対のロボット２，２の一方は検査室１００の天井に固定されており、他方は検査室１００の床に固定されているが、一対のロボット２，２の設置態様はこれに限定されない。例えば、一対のロボット２，２が共に検査室１００の壁に固定されていたり、一対のロボット２，２が共に検査室１００の床に固定されていたり、一対のロボット２，２の一方は検査室１００の天井又は床に固定されており他方が検査室１００の壁に固定されていたりしてよい。
【００５６】
また、上記実施形態及び変形例において、複数のロボット２につき１つのロボット制御装置２４０が設けられているが、各ロボット２につきロボット制御装置２４０が設けられて、各ロボット制御装置２４０が他のロボット制御装置２４０と連係してロボット２を制御するように構成されていてもよい。
【００５７】
また、上記実施形態及び変形例において、一対のロボット２，２の両方が肘関節ＪＴ３（又は、基端から２つ目から４つ目の関節、或いは、上腕）がベッド１０の幅Ｗ内に存在するように制御されるが、一対のロボット２，２のうち一方のみがそのように制御されてもよい。
【００５８】
また、上記実施形態及び変形例において、ロボット制御装置２４０がロボット２，２の制御に用いる医師９９の作業範囲は、カメラ３５で撮影された画像を医師検出装置２３０で画像処理することによって検出されたものであるが、これに限定されない。例えば、赤外線サーマルカメラで医師９９及びその周囲を撮影し、得られた温度分布画像を画像処理することにより検出された医師９９の作業範囲が、ロボット２，２の制御に用いられてよい。また、例えば、医師９９がマーカを携帯し、このマーカの座標をマッピングすることにより検出された医師９９の作業範囲が、ロボット２，２の制御に用いられてよい。また、例えば、検査内容に応じた予め医師９９の作業範囲が予めロボット制御装置２４０に記憶されており、予め記憶された医師９９の作業範囲がロボット２，２の制御に用いられてよい。
【００５９】
上記説明から、当業者にとっては、本発明の多くの改良や他の実施形態が明らかである。したがって、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【符号の説明】
【００６０】
１      ：Ｘ線撮影システム
２      ：ロボット
３      ：旋回台
４〜８  ：リンク
９      ：アタッチメント
１０    ：ベッド
２０    ：制御システム
２１    ：基台
２２    ：ロボットアーム
３１    ：Ｘ線発生装置（Ｘ線源）
３２    ：Ｘ線撮像装置
３４    ：モニタ
３５    ：カメラ
９８    ：被験体
９９    ：医師
１００  ：検査室
２１０  ：Ｘ線撮影制御装置
２２０  ：画像処理装置
２３０  ：医師検出装置
２４０  ：ロボット制御装置
２５０  ：サーボアンプ
Ａ１〜Ａ７    ：回転軸
Ｃ      ：アイソセンタ
Ｅ１〜Ｅ７    ：位置検出器
Ｈ      ：焦点受像間距離
ＪＴ１〜ＪＴ７  ：関節
Ｌ      ：Ｘ線束中心線
Ｍ１〜Ｍ７    ：サーボモータ
【図１】
2017029690.tif 000003
【図２】
2017029690.tif 000004
【図３】
2017029690.tif 000005
【図４】
2017029690.tif 000006
【図５】
2017029690.tif 000007
【国際調査報告】
2017029690.tif 000008
2017029690.tif 000009